(57)【要約】【課題】  凹凸のある転写紙など紙種に影響されずに常に安定した高光沢の作像ができる定着方法、定着装置及び画像形成装置を提供すること。【解決手段】  像担持体上に形成された粉体粒状の像形成物質を前記像担持体上の第１ニップ部Ｎ１で熱エネルギーを付与しながら押圧部材（２４）により押圧するとともに、その下流側の第２ニップ部Ｎ２で記録媒体（Ｐ）に転写定着を行う定着方法であって、前記押圧部材の表面に像形成物質付着防止のためのオイルをオイル塗布部材（２７）によって塗布することを特徴とする。【選択図】      図１
2006330320.tif 000002
【特許請求の範囲】
【請求項１】
像担持体上に形成された粉体粒状の像形成物質を前記像担持体上の第１ニップ部で熱エネルギーを付与しながら押圧部材により押圧するとともに、その下流側の第２ニップ部で記録媒体に転写定着を行う定着方法であって、前記押圧部材の表面に像形成物質付着防止のためのオイルをオイル塗布部材によって塗布することを特徴とする定着方法。
【請求項２】
押圧部材の表面に付着した像形成物質をクリーニング部材によって除去する請求項１記載の定着方法。
【請求項３】
通紙範囲の表面エネルギーの大きさが、押圧部材＜像担持体＜記録媒体、という条件を満たし、かつ非通紙範囲と通紙範囲の押圧部材の摩擦係数をそれぞれμ１、μ２としたとき、μ１＞μ２を満たす請求項１又は２記載の定着方法。
【請求項４】
押圧部材の表面硬さが像担持体の表面硬さよりも硬い請求項１ないし３のいずれかに記載の定着方法。
【請求項５】
像形成物質がトナーであり、該トナーは、少なくとも結着樹脂、着色剤、離型剤を含有し、離型剤成分が樹脂中に島状に分散され、離型剤の平均分散粒径が０．１〜１．０μｍである請求項１ないし４のいずれかに記載の定着方法。
【請求項６】
トナーは、重量平均粒径（Ｄ４）が２．５〜５．０μｍ、平均円形度が０．９５〜０．９９である請求項５に記載の定着方法。
【請求項７】
トナーの結着樹脂は、高化式フロ−テスタ−における１／２流出温度が１１０〜１４５℃のポリエステル樹脂を主成分とし、また離型剤として酸価５以下の脱遊離脂肪酸型カルナウバワックス、モンタン系エステルワックス、酸価１０〜３０の酸化ライスワックス、合成エステルワックスからなる群より少なくとも１種含有する請求項６に記載の定着方法。
【請求項８】
請求項１ないし７のいずれかに記載の定着方法を実施するのに用いる装置であって、２次転写ローラと転写定着ローラに張架された転写定着ベルトを有し、該ベルトに像形成物質を変形させるための１次加圧ローラ及びバックアップローラを、第１ニップ部を形成して備え、１次加圧ローラの表面に像形成物質付着防止のオイルを塗布するオイル塗布部材及び付着した像形成物質を除去するクリーニング部材を設置し、第１ニップ部の下流側に前記転写定着ローラと第２ニップ部を形成する２次加圧ローラを備えたことを特徴とする定着装置。
【請求項９】
請求項１ないし７のいずれかに記載の定着方法を実施するのに用いる装置であって、バックアップローラを有し、該ローラに像形成物質を変形させるための１次加圧ローラを、第１ニップ部を形成して備え、１次加圧ローラの表面に像形成物質付着防止のオイルを塗布するオイル塗布部材及び付着した像形成物質を除去するクリーニング部材を設置し、第１ニップ部の下流側に前記バックアップローラと第２ニップ部を形成する２次加圧ローラを備えたことを特徴とする定着装置。
【請求項１０】
請求項８又は９に記載の定着装置を具備したことを特徴とする画像形成装置。
【発明の詳細な説明】
【技術分野】
【０００１】
この発明は、複写機、プリンタ、ファクシミリ、印刷機等の画像形成装置に設置される定着装置で実施される定着方法、定着装置及び画像形成装置に関するものである。
【背景技術】
【０００２】
複写機、プリンタ、ファクシミリ、印刷機等の画像形成装置は、粉体粒子状の像形性物質である粉体トナーを用いる乾式電子写真方式が多く、この乾式電子写真方式の画像形成装置の多くは感光体又は中間転写体からなる像担持体上の粉体トナーを像保持体に静電的に転写した後に像保持体の上の粉体トナーを加熱加圧して像保持体に定着させている。
【０００３】
ここで像保持体として最も多く用いられるのは転写紙であるが、転写紙はセルロース繊維が鰯畳状に重なり合った構造をしており、その表面に凹凸がある。この表面の凹凸が原因となって前記作像プロセスでは以下のような問題が発生する。
【０００４】
すなわち、作像プロセスにおいては感光体又は中間転写体からなる像担持体上から転写紙に静電的に粉体トナーの転写が行われるが、転写紙の表面に凹凸があるために、像担持体と転写紙との間に不均一なギャップが生じ、転写電界が乱れることや、粉体トナー同士のクーロン反発力が生じることにより、いわゆる転写チリが発生し、画像の品質が落ちてしまう。
【０００５】
この問題を解決する作像プロセスとして、図３に示すような転写定着方式と呼ばれる作像プロセスがある。この作像プロセスでは中間転写体５４上の粉体トナーＴを溶融させるためのヒータ５６が転写定着ローラ５２に設けられており、中間転写体５４から転写紙Ｐへ溶融熱転写により粉体トナー像を転写する。この方法によれば、転写紙への粉体トナー像の転写を非静電的に行うことができるので前記のような転写チリが発生しない。
【０００６】
このように転写定着方式によって、転写紙の凹凸を原因とする転写チリの問題は解決するが、この方式においても、転写紙の凹凸が原因となってさらに別の問題が発生する。すなわち、転写定着方式においては、溶融熱転写が行われるが、加熱不十分の状態で転写紙に接触してしまった場合は粉体トナーＴ１が一体化する前に、該粉体トナーが転写紙の凹部に落ち込んでしまう（図４（Ａ））。このように凹部に粉体トナーが落ち込んでしまうと、画像のかすれが生じたり、凹部に落ち込んだ粉体トナーへの熱伝導率が悪くなることで定着不良が生じたりする。この凹部への落ち込みを防ぐために中間転写体上に加圧ローラを設けた画像形成装置が提案されている（例えば、特許文献１参照）。この特許文献１は、図５に示すようにヒータ６１を内蔵した押圧ローラ６０及びバックアップローラ６２を中間転写体５４に押し付けるように回転可能に設けていて、この構成によって転写紙Ｐへの転写の前に接触しあう粉体トナーＴ１同士を加熱加圧し、粉体トナーＴ２として一体化させることができ、凹部への粉体トナーの落ち込みを防ぐことができる（図４（Ｂ））。図３，５において５１は感光体、５３は駆動ローラ、５５は加圧ローラである。
【発明の開示】
【発明が解決しようとする課題】
【０００７】
しかしながら、特許文献１の図５に示すトナー一体化方式においても、この方式特有の以下の問題が生じる。すなわち、この方式では押圧ローラ６０とそれに内蔵されたヒータ６１によって粉体トナーに熱を加えながら押圧しトナーを一体化させるのであるが、この際、溶融したトナーが押圧ローラ６０に付着してはならない。トナーが付着した押圧ローラ６０が一周した後に像担持体上の画像にそのトナーが乗ってしまうからである。それを阻止するためには、適切な圧力および温度を設定する必要があるが、そのような圧力や熱量は、トナーの量により異なり、そのトナーの量は作像したい画像により異なるのでいかなる画像においても、押圧ローラ６０にトナー付着を起こさせないような圧力及び温度の設定を行うことは困難である。
【０００８】
したがって、押圧ローラ６０にトナーを付着させないための機構が必要となる。そのような機構の一つとして、中間転写体（像担持体）５４、押圧ローラ６０、転写紙Ｐの表面自由エネルギーに、転写紙＞中間転写体（像担持体）周面＞押圧ローラ、のような設定を行う画像形成装置が提案されている（例えば、特許文献２参照）。このように表面自由エネルギーの関係を設定することによって、押圧ローラへのトナー付着を防ぐことができ、同時に転写紙への転写率をあげることができる。しかしながら、通常押圧ローラ６０の駆動は中間転写体５４の従動により行われるので、押圧ローラ６０が中間転写体５４とすべることなく従動するためには、押圧ローラ６０と中間転写体５４の間には摩擦力が必要である。したがって、前記の条件を満たすだけでは押圧ローラ６０の駆動まで含めたシステムとしては成立しない。
【０００９】
さらにどちらの特許文献１，２においても、一体化された後のトナーの表面平滑性には言及していないが、この方式を用いて、転写紙の凹凸に影響されずに高い光沢を出すためには、トナーが像担持体に接する側のトナー表面を平滑にし、第２ニップ部でトナーが転写紙に追従しない程度の軽い圧力で、トナーを転写紙に接着させる必要がある。
【００１０】
【特許文献１】特開２００１−１３７９８号公報
【特許文献２】特開平９−１１４２８２号公報
【００１１】
そこでこの発明は、前記従来のものの問題点を解決し、凹凸のある転写紙など紙種に影響されずに常に安定した高光沢の作像ができる定着方法、定着装置及び画像形成装置を提供することを目的とする。
【課題を解決するための手段】
【００１２】
前記課題を解決するために、請求項１に記載の発明は、像担持体上に形成された粉体粒状の像形成物質を前記像担持体上の第１ニップ部で熱エネルギーを付与しながら押圧部材により押圧するとともに、その下流側の第２ニップ部で記録媒体に転写定着を行う定着方法であって、前記押圧部材の表面に像形成物質付着防止のためのオイルをオイル塗布部材によって塗布することを特徴とする。
【００１３】
請求項２記載の発明は、請求項１において、押圧部材の表面に付着した像形成物質をクリーニング部材によって除去することを特徴とする。請求項３記載の発明は、請求項１又は２において、通紙範囲の表面エネルギーの大きさが、押圧部材＜像担持体＜記録媒体、という条件を満たし、かつ非通紙範囲と通紙範囲の押圧部材の摩擦係数をそれぞれμ１、μ２としたとき、μ１＞μ２を満たすことを特徴とする。
【００１４】
請求項４記載の発明は、請求項１ないし３のいずれかにおいて、押圧部材の表面硬さが像担持体の表面硬さよりも硬いことを特徴とする。請求項５に記載の発明は、請求項１ないし４のいずれかにおいて、像形成物質がトナーであり、該トナーは、少なくとも結着樹脂、着色剤、離型剤を含有し、離型剤成分が樹脂中に島状に分散され、離型剤の平均分散粒径が０．１〜１．０μｍであることを特徴とする。請求項６に記載の発明は、請求項５において、トナーは、重量平均粒径（Ｄ４）が２．５〜５．０μｍ、平均円形度が０．９５〜０．９９であることを特徴とする。
【００１５】
請求項７に記載の発明は、請求項６において、トナーの結着樹脂は、高化式フロ−テスタ−における１／２流出温度が１１０〜１４５℃のポリエステル樹脂を主成分とし、また離型剤として酸価５以下の脱遊離脂肪酸型カルナウバワックス、モンタン系エステルワックス、酸価１０〜３０の酸化ライスワックス、合成エステルワックスからなる群より少なくとも１種含有することを特徴とする。
【００１６】
請求項８に記載の発明は、請求項１ないし７のいずれかに記載の定着方法を実施するのに用いる装置であって、２次転写ローラと転写定着ローラに張架された転写定着ベルトを有し、該ベルトに像形成物質を変形させるための１次加圧ローラ及びバックアップローラを、第１ニップ部を形成して備え、１次加圧ローラの表面に像形成物質付着防止のオイルを塗布するオイル塗布部材及び付着した像形成物質を除去するクリーニング部材を設置し、第１ニップ部の下流側に前記転写定着ローラと第２ニップ部を形成する２次加圧ローラを備えたことを特徴とする定着装置である。
【００１７】
請求項９に記載の発明は、請求項１ないし７のいずれかに記載の定着方法を実施するのに用いる装置であって、バックアップローラを有し、該ローラに像形成物質を変形させるための１次加圧ローラを、第１ニップ部を形成して備え、１次加圧ローラの表面に像形成物質付着防止のオイルを塗布するオイル塗布部材及び付着した像形成物質を除去するクリーニング部材を設置し、第１ニップ部の下流側に前記バックアップローラと第２ニップ部を形成する２次加圧ローラを備えたことを特徴とする定着装置である。
【００１８】
請求項１０に記載の発明は、請求項８又は９に記載の定着装置を具備したことを特徴とする画像形成装置である。
【発明の効果】
【００１９】
この発明は、前記のようであって、像担持体上に形成された粉体粒状の像形成物質を前記像担持体上の第１ニップ部で熱エネルギーを付与しながら押圧部材により押圧するとともに、その下流側の第２ニップ部で記録媒体に転写定着を行う定着方法であって、前記押圧部材の表面に像形成物質付着防止のためのオイルをオイル塗布部材によって塗布するので、第１ニップ部の押圧部材への像形成物質の付着を防ぐことが可能となり、押圧部材の汚れ防止による高画質化が達成できる。したがって凹凸のある転写紙など紙種に影響されずに常に安定した高光沢の作像ができるという優れた効果がある。
【発明を実施するための最良の形態】
【００２０】
この発明の実施の形態を、図面を参照して説明する。
【００２１】
［実施の形態１］
図１は、本実施の形態における画像形成装置としてのタンデム型カラー複写機を示す概略図である。１はカラー複写機で、このカラー複写機１は、装置本体中央部に位置する画像形成部１Ａと、該画像形成部の下方に位置する給紙部１Ｂと、画像形成部１Ａの上方に位置する図示しない画像読取部を有している。画像形成部１Ａには、水平方向に延びる転写面を有する中間転写体としての中間転写ベルト２が配置されており、該中間転写ベルトの上面には、色分解色と補色関係にある色の画像を形成するための構成が設けられている。すなわち、補色関係にある色のトナー（イエロー、マゼンタ、シアン、ブラック）による像を担持可能な像担持体としての感光体３Ｙ、３Ｍ、３Ｃ、３Ｂが中間転写ベルト２の転写面に沿って並置されている。
【００２２】
各感光体３Ｙ、３Ｍ、３Ｃ、３Ｂはそれぞれ同じ方向（反時計回り方向）に回転可能なドラムで構成されており、その周りには、回転過程において画像形成処理を実行する帯電装置４、光書き込み手段としての書き込み装置５、現像装置６、１次転写装置７及びクリーニング装置８が配置されている。各符号に付記しているアルファベットは、感光体３と同様、トナーの色別に対応している。各現像装置６には、それぞれのカラートナーが収容されている。中間転写ベルト２は、駆動ローラ９と、従動ローラ１０に掛け回されて感光体３Ｙ、３Ｍ、３Ｃ、３Ｂとの対峙位置において同方向に移動可能な構成を有している。従動ローラ１０と対向する位置には、中間転写ベルト２の表面をクリーニングするクリーニング装置１１が設けられている。感光体３Ｙの表面が帯電装置４Ｙにより一様に帯電され、前記画像読取部からの画像情報に基づいて感光体３Ｙ上に静電潜像が形成される。静電潜像はイエローのトナーを収容した現像装置６Ｙによりトナー像として可視像化され、該トナー像は所定のバイアスが印加される１次転写装置７Ｙにより中間転写ベルト２上に１次転写される。他の感光体３Ｍ、３Ｃ、３Ｂでもトナーの色が異なるだけで同様の画像形成がなされ、それぞれの色のトナー像が中間転写ベルト２上に順に転写されて重ね合わせられる。転写後、感光体３上に残留したトナーはクリーニング装置８により除去され、また、転写後、図示しない除電ランプにより感光体３の電位が初期化され、次の作像工程に備えられる。
【００２３】
感光体３Ｙ、３Ｍ、３Ｃ、３Ｂから中間転写ベルト２上に１次転写されたトナー像Ｔ（以下、単にトナーともいう）は、図示しない２次バイアス印加手段により駆動ローラ９及び２次転写ローラ１４間に印加されるバイアス（ＡＣ、パルスなどの重畳を含む）により定着装置１２の転写定着ベルト１３に静電気力で転写される。転写定着ベルト１３は２次転写ローラ１４と転写定着ローラ２０に張架され、中間転写ベルト２と後記２次加圧ローラ２２との間に配置されており、図示しないモータに連結された転写定着ローラ２０により従動回転する。転写定着ベルト１３の材質はポリイミド樹脂を基層として、表層にはトナーの離型性を向上するための１０〜３０μｍのフッ素系樹脂系材料であるＰＦＡやＰＴＦＥ等の離型層が設けられた２層構造又は転写定着ベルト１３の中間層として０．０５〜０．５ｍｍ程度のシリコンゴム等の耐熱弾性層を設けることで、トナーの変形時および転写定着時のトナーにかかる圧力をなるべく均等にできる。離型性を向上させるための別の手段として、転写定着ベルト１３表面にトナー離型用オイルを塗布する場合では、基層と弾性層の２層構成にしてもよい。
【００２４】
駆動ローラ９と２次転写ローラ１４でなす静電転写部の下流側にはトナーを変形させるための押圧部材としての１次加圧ローラ２４及びバックアップローラ２５が備えられ、１次加圧ローラ２４に連結した加圧ばね２１により転写定着ベルト１３を介してバックアップローラ２５を押圧し、第１ニップ部Ｎ１を形成する。トナーの変形は圧力と熱によって行い、そのためにバックアップローラ２５内にハロゲンヒータ２６を設け、所定の温度に加熱している。この場合、第１ニップ部Ｎ１内の平均面圧は３Ｋｇｆ／ｃｍ2〜７Ｋｇｆ／ｃｍ2に設定される。この面圧域で、トナーに含有するワックスを効率的にトナー表層部に溶出させ、１次加圧ローラ２４へのオフセットを防止し、さらに後記する第２ニップ部Ｎ２での転写定着ベルト１３からの離型性を向上させることができる。また、離型性の向上を目的として、１次加圧ローラ２４にはオイル塗布ローラ２７も設置している。さらに、１次加圧ローラ２４にはクリーニングブレード２８も設置されている。また、１次加圧ローラ２４の非通紙部はゴム層になっており、通紙面よりも摩擦係数が高くなっている。
【００２５】
第１ニップ部Ｎ１の下流側には用紙ＰにトナーＴを転写定着するための転写定着ローラ２０及び２次加圧ローラ２２が備えられている。２次加圧ローラ２２は加圧ばね２３によって加圧され、転写定着ベルト１３を介して転写定着ローラ２０と対向する位置に設けられ、第２ニップ部Ｎ２を形成する。また、第２ニップ部Ｎ２の下流側にはクリーニングローラ２９が設けられている。クリーニングローラ２９は金属ローラ表面にフェルトが巻きつけられ、第２ニップ部Ｎ２を通過した転写定着残トナーを除去する。
【００２６】
給紙部１Ｂは、記録媒体としての用紙Ｐを積載収容する給紙トレイ１６と、該給紙トレイ内の用紙Ｐを最上のものから順に１枚ずつ分離して給紙する給紙コロ１７と、給紙された用紙Ｐを搬送する搬送ローラ対１８と、用紙Ｐが一旦停止され、斜めずれを修正された後、転写定着ベルト１３上の画像の先端と搬送方向の所定位置とが一致するタイミングで第２ニップ部Ｎ２に向けて送り出されるレジストローラ対１９を有している。
【００２７】
トナーには、酸価５以下の脱遊離脂肪酸型カルナウバワックス、モンタン系エステルワックス、酸価１０〜３０の酸化ライスワックス、合成エステルワックスからなる群より少なくとも１種のワックスが含有されており、平均分散粒径が０．１〜１．０μｍになっている。さらに、トナーの重量平均粒径（Ｄ４）は２．５〜５．０μｍ、平均円形度が０．９５〜０．９９の形状で、前記結着樹脂は高化式フロ−テスタ−における１／２流出温度が１１０〜１４５℃のポリエステル樹脂を主成分としている。第１ニップ部Ｎ１での離型性を向上し、また、静電転写時の帯電のバラツキをおさえることができ、トナーの散り等の画質の劣化を防止できる。また、ポリエステル樹脂を主成分にすることで、トナーの変形や定着温度を低温化することができ、省エネ化を可能とする。
【００２８】
次に、動作を説明する。中間転写ベルト２上に形成されたトナー像Ｔは、マイナスに帯電しており、駆動ローラ９側が−０．５ＫＶ〜２ＫＶ、転写定着ローラ２０の芯金が０Ｖになるようにバイアスが印加されることで、定着装置１２の転写定着ベルト１３に静電的に転写される。転写されたトナー像Ｔは、転写定着ベルト１３によって搬送され、１次加圧ローラ２４とバックアップローラ２５によって加圧され、トナー粒子同士が変形し、一体化される。この際、１次加圧ローラ２４に設置されたオイル塗布ローラ２７によって、１次加圧ローラ２４の表面にはオイルが塗布されているので、１次加圧ローラ２４の表面へのトナーの付着が防止される。仮に、１次加圧ローラ２４の表面にトナーが付着したとしてもクリーニングブレード２８にて除去される。前記のように変形し一体化されたトナーは、さらに転写定着ベルト１３とともに移動し、この状態で第２ニップ部Ｎ２にて搬送されてきた用紙Ｐに圧接することで、一体化したトナーが用紙Ｐに転写定着され排紙される。
【００２９】
［実施の形態２］
図２は、本実施の形態の要部概略図である。実施の形態１の転写定着ベルト１３に代えて、駆動ローラ９と中間転写ベルト２を介して接するとともに、２次加圧ローラ２２と接するバックアップローラ２５ａを備えている。バックアップローラ２５ａは実施の形態１のバックアップローラ２５より相当大きく、駆動ローラ９や２次加圧ローラ２２よりも径が大きく形成されている。バックアップローラ２５ａ内にはハロゲンヒータ２６ａが設けられ、所定の温度に加熱されている。また、トナーを変形させるための１次加圧ローラ２４がそれに連結した加圧ばね２１によりバックアップローラ２５ａを押圧して設けられ、第１ニップ部Ｎ１を形成する。１次加圧ローラ２４には実施の形態１と同様、離型性の向上を目的としたオイル塗布ローラ２７やクリーニングブレード２８も設置されている。２次加圧ローラ２２は加圧ばね２３によりバックアップローラ２５ａを押圧して設けられ、第２ニップ部Ｎ２を形成する。その他の定着装置や画像形成装置の構成は実施の形態１と同様である。
【００３０】
前記のようなバックアップローラ２５ａを備えた本実施の形態の場合においても、バックアップローラ２５ａに転写されたトナー像Ｔは、実施の形態１と同様に、１次加圧ローラ２４とバックアップローラ２５ａによって加圧され、トナー粒子同士が変形することにより一体化され、その際に表面がオイル塗布ローラ２７によってオイルが塗布されてトナーの付着が防止され、トナーが仮に付着したとしてもクリーニングブレード２８にて除去される、という作用効果が期待できる。
【００３１】
次に、特許請求の範囲の請求項２以下に記載した発明の特有な効果について説明する。請求項２に記載の発明によれば、仮に押圧部材に像形成物質が付着したとしても、その像形成物質をクリーニング部材によって除去するので、その後の像担持体上の像形成物質像にのることを防ぐことが可能となり、押圧部材の汚れ防止による高画質化が達成できる。請求項３に記載の発明によれば、第１ニップ部では押圧部材にくらべて像担持体の表面エネルギーが高いために、押圧部材への像形成物質の付着を抑制することが可能となる。また、第２ニップ部では像担持体に比べて記録媒体の表面エネルギーが高いために、転写率を向上し、像担持体の像形成物質の転写残を防ぐことが可能となる。これにより高画質化が達成できる。さらに、非通紙部の摩擦係数を上げることで前記離型性の関係を保ったままで押圧部材の従動を可能にすることができる。
【００３２】
請求項４に記載の発明によれば、像形成物質の押圧部材面＝記録媒体との接着面が平滑になり記録媒体への接着率が上がる。請求項５に記載の発明によれば、像形成物質から離型剤が押圧時に効率良く染み出し、第１ニップ部においては、押圧部材へのオフセットを防止し、また第２ニップ部での転写時の転写率の向上とともに記録媒体の巻きつきを抑制できる。
【００３３】
請求項６に記載の発明によれば、像形成物質の帯電バラツキを小さくし、静電転写時の散りが防止できる。また、画像を形成する像形成物質の密度の均一性が上がり、第１ニップ部で変形の均一性をさらに向上させることで、画質を良くすることができる。請求項７に記載の発明によれば、ポリエステル系樹脂の使用により加熱時の温度を通常に比べて低温化でき、消費エネルギーを抑えることを可能にする。請求項８，９に記載の発明によれば、請求項１ないし７のいずれかに記載の定着方法を実施するのに用いる定着装置を提供することができる。請求項１０に記載の発明によれば、請求項８又は９に記載の定着装置を具備した画像形成装置を提供することができる。
【図面の簡単な説明】
【００３４】
【図１】この発明の実施の形態１による定着装置を具備した画像形成装置を示す概略構成図である。
【図２】実施の形態２による定着装置を具備した画像形成装置を示す概略構成図である。である。
【図３】従来の転写定着方式を示す概略構成図である。
【図４】同上のトナー一体化でおちこみを防ぐことを示す概念図で、（Ａ）は一体化されない場合、（Ｂ）は一体化された場合を示す。
【図５】従来のトナー一体化方式の概略構成図である。
【符号の説明】
【００３５】
１  カラー複写機（画像形成装置）                １Ａ  画像形成部
１Ｂ  給紙部                                    ２  中間転写ベルト
３Ｙ、３Ｍ、３Ｃ、３Ｂ  感光体                  ４  帯電装置
５  書き込み装置                                ６  現像装置
７  １次転写装置                                ８  クリーニング装置
９  駆動ローラ                                  １０  従動ローラ
１１  クリーニング装置                          １２  定着装置
１３  転写定着ベルト                            １４  ２次転写ローラ
１６  給紙トレイ                                １７  給紙コロ
１８  搬送ローラ対                              ２０  転写定着ローラ
２１，２３  加圧ばね                            ２２  ２次加圧ローラ
２４  １次加圧ローラ（押圧部材）                ２５，２５ａ  バックアップローラ
２６，２６ａ  ハロゲンヒータ
２７  オイル塗布ローラ（オイル塗布部材）
２８  クリーニングブレード（クリーニング部材）  ２９  クリーニングローラ
Ｐ  用紙（記録媒体）                            Ｎ１  第１ニップ部
Ｎ２  第２ニップ部
【図１】
2006330320.tif 000003
【図２】
2006330320.tif 000004
【図３】
2006330320.tif 000005
【図４】
2006330320.tif 000006
【図５】
2006330320.tif 000007